(57)【要約】【課題】精密印刷機用の粘着ローラを使用した印刷媒体の表面の除塵を行う除塵装置であって、簡単な構造で、薄手のフイルムであっても、確実に除塵ができる除塵装置を得ること。【解決手段】除塵対象のフイルム４の送り方向５について上流側に配置され、複数の溝７を持ち、溝７によって分割された粘着部８を備えた上流側粘着ローラ６と、上流側粘着ローラ６に並んで下流側に配置された下流側粘着ローラ９と、上流側粘着ローラ６の溝７の上流側分離体１２と、下流側粘着ローラ９の下流側分離体１３とから構成され、上流側粘着ローラ６の溝７及び下流側粘着ローラ９の溝１０は、相互に重ならないようにずれており、かつ上流側分離体１２と下流側分離体１３の間には、フイルム４が引っかからないで連携する連携部２０を備えている除塵装置とした。【選択図】図１
2013166104.tif 000002
【特許請求の範囲】
【請求項１】
除塵対象のフイルムの送り方向について上流側に配置され、複数の溝を持ち、溝によって分割された粘着部を備えた上流側粘着ローラと、
前記上流側粘着ローラに並んで下流側に配置され、複数の溝を持ち、溝によって分割された粘着部を備えた下流側粘着ローラと、
前記上流側粘着ローラの溝をフイルムの通過面に沿って貫通し、粘着部に巻き付こうとするフイルムをフイルムの走行に従って粘着部から引き離す上流側分離体と、
前記下流側粘着ローラの溝をフイルムの通過面に沿って貫通し、粘着部に巻き付こうとするフイルムをフイルムの走行に従って粘着部から引き離す下流側分離体とから構成された除塵装置において、
前記上流側粘着ローラの溝及び前記下流側粘着ローラの溝は、前記上流側及び下流側粘着ローラを通過したフイルム面において溝の部分が重ならないように相互にずれており、かつ前記上流側分離体と前記下流側分離体の間には、前記フイルムが引っかからないで連携する連携部を備えていることを特徴とする除塵装置。
【請求項２】
前記上流側分離体及び前記下流側分離体は、前記連携部として、前記上流側粘着ローラ及び前記下流側粘着ローラの間で距離が近い接近部分を備えることを特徴とする請求項１に記載の除塵装置。
【請求項３】
前記上流側分離体及び前記下流側分離体は一体として形成され、前記連携部として、前記上流側分離体及び前記下流側分離体を接続するように屈曲した屈曲部分を備えることを特徴とする請求項１に記載の除塵装置。
【発明の詳細な説明】
【技術分野】
【０００１】
本発明は、フイルムなどの印刷媒体の表面に付着した異物を除去する除塵装置に関するもので、特に粘着ローラによって除塵を行う形式の除塵装置に関するものである。
【背景技術】
【０００２】
近年、シート状やロール状のフイルムなどの印刷媒体上に、精密な画像を印刷する精密印刷の技術の発展が著しい。従来は、精密な印刷を行うには、フォトエッチング法を使用していた。最近では、配線パターンなど精密印刷による画像の形成を、グラビア印刷、インクジェット印刷、スクリーン印刷などの印刷技術を使用して、安価に行えるようになっている。
【０００３】
精密印刷では、印刷媒体の表面を清浄に維持す必要がある。印刷媒体の上に異物が付着していると、印刷媒体の品質上の欠陥の原因となる。また、異物の付着は、潜在的な欠陥の原因となり、時間の経過とともに不具合が顕在化することがある。
【０００４】
そこで、従来より、いろいろな印刷媒体用の除塵装置が知られている。それらは、除塵に求められる基準に応じて、大規模な設備から簡素な装置まで存在するが、大規模な除塵装置は極めて高価である。除塵装置は、常に除塵に要するコストと印刷や材料などの他のコストとのバランスを考慮しなければ、産業的に成り立たない。
【０００５】
精密印刷は、クリーン度が管理された環境のもとで行われ、それに使用する印刷媒体も異物の付着がないように管理されている。しかし、それでも、浮遊物など何らかの原因で、偶発的に印刷媒体の上に異物が付着する場合がある。このように、少量の偶発的な異物の除去には、粘着ローラを使用した除塵装置が向いている。
【０００６】
粘着ローラを使用した除塵装置は、印刷工程において、印刷ステーションの直前に配置される。除塵装置は、印刷媒体の印刷面に粘着ローラを接触させて、印刷媒体の表面に付着した異物を粘着ローラ側に転移させるようになっている。粘着ローラを使用した除塵装置は、粘着ローラと印刷媒体を密着させた後の分離について考慮する必要がある。印刷媒体が、例えば、１．６ｍｍの厚さがあるプリント配線板のように、十分な曲げ剛性があれば、特別な分離機構は不要である。しかし、印刷媒体が、０．１ｍｍ程度の薄板の場合は、印刷媒体の曲げの剛性が小さいので、印刷媒体が粘着ローラに巻きつくことがある。このような場合は、特別な分離機構によって、印刷媒体が粘着ローラを通過したあと、粘着ローラと印刷媒体を確実に分離する必要がある。
【０００７】
特許文献１には、除塵装置に使用可能な分離機構の例が記載されている。ここに示された装置は、粘着ローラに相当する部分に溝を設けて、溝に分離のためのはく離部材を備えている。このはく離部材は、印刷媒体に相当する印刷用紙が粘着ローラに接したあと、印刷用紙を粘着ローラから離れるように案内している。ただし、この分離機構のはく離部材は、そのまま薄手のフイルムの分離に適用することが難しい。薄手のフイルムは、偶発的に粘着ローラに貼りつく。その貼りついた状態を解消しないまま、フイルムが上流側のローラから下流側のローラに引き渡されるときに、連携がない場合は、フイルムに皺や折れ目が発生する。
【０００８】
特許文献２には、除塵装置の分離機構として、粘着ローラの他に分離専用のローラを使用した分離機構の例が示されている。この分離機構は、粘着ローラと、粘着ローラに隣接した分離ローラを組み合わせたものである。粘着ローラには溝を設け、その溝に分離ローラが入り込むようになっている。そして、仮に印刷媒体が粘着ローラに巻き付いても、その先端が分離ローラに引き渡される。その結果、粘着ローラと印刷用紙は、無理なく分離される。しかし、構造が複雑であり、またローラの合計本数が増えるため、除塵装置の外形寸法が大型化する。
【０００９】
特許文献３には、さらに別の除塵装置の分離機構の例が示されている。ここに示された分離機構は、粘着ローラに隣接して案内シャフトを配置するとともに、粘着ローラに設けた溝と案内シャフトの間にベルトを設けた。この構造によれば、特許文献２の例の分離ローラと同様の効果が得られる。しかし、特許文献２に示された例と同様に、複雑な構造となり、粘着ローラの交換やベルトの交換の作業時間が長くなる。
【先行技術文献】
【特許文献】
【００１０】
【特許文献１】特開平５−７２９４６号公報
【特許文献２】特開平１０−５７０７号公報
【特許文献３】特開昭６２−２５７８５３号公報
【発明の概要】
【発明が解決しようとする課題】
【００１１】
従来の粘着ローラを使用した印刷媒体の表面の除塵を行う除塵装置は、粘着ローラと印刷媒体の分離を行う機構が複雑であるという課題があった。
また、従来の除塵装置は、薄手のフイルムの除塵に向いていないという課題があった。
この原因は、従来の除塵装置では、上流側の粘着ローラと下流側の粘着ローラを組み合わせた場合に、除塵しようとするフイルムを受け渡す連携機構が複雑であったり、薄手のフイルムの適さない構造であるところに原因がある。
本発明は、粘着ローラを使用した印刷媒体の表面の除塵を行う除塵装置であって、簡単な構造で、薄手のフイルムであっても、確実に除塵ができる除塵装置を得ることを目的とする。
【課題を解決するための手段】
【００１２】
本発明は、除塵対象のフイルムの送り方向について上流側に配置され、複数の溝を持ち、溝によって分割された粘着部を備えた上流側粘着ローラと、前記上流側粘着ローラに並んで下流側に配置され、複数の溝を持ち、溝によって分割された粘着部を備えた下流側粘着ローラと、前記上流側粘着ローラの溝をフイルムの通過面に沿って貫通し、粘着部に巻き付こうとするフイルムをフイルムの走行に従って粘着部から引き離す上流側分離体と、前記下流側粘着ローラの溝をフイルムの通過面に沿って貫通し、粘着部に巻き付こうとするフイルムをフイルムの走行に従って粘着部から引き離す下流側分離体とから構成された除塵装置において、前記上流側粘着ローラの溝及び前記下流側粘着ローラの溝は、前記上流側及び下流側粘着ローラを通過したフイルム面において溝の部分が重ならないように相互にずれており、かつ前記上流側分離体と前記下流側分離体の間には、前記フイルムが引っかからないで連携する連携部を備えていることを特徴とする除塵装置とした。
また、前記上流側分離体及び前記下流側分離体は、前記連携部として、前記上流側粘着ローラ及び前記下流側粘着ローラの間で距離が近い接近部分を備えるようにした。
また、前記上流側分離体及び前記下流側分離体は一体として形成され、前記連携部として、前記上流側分離体及び前記下流側分離体を接続するように屈曲した屈曲部分を備えるようにした。
【発明の効果】
【００１３】
本発明に係る除塵装置は、走行するフイルムに異物があると、上流側粘着ローラまたは下流側粘着ローラに転写され、フイルムは除塵される。フイルムが上流側粘着ローラまたは下流側粘着ローラの粘着力によっていずれかの粘着ローラに巻き付こうとしても、粘着ローラを通過した後に、上流側分離体及び下流側分離体によって、いずれの粘着ローラから引き離されるため、フイルムはいずれの粘着ローラに巻き付くことはない。本発明によれば、上流側粘着ローラ及び下流側粘着ローラに対して分離体を配し、この分離体の間に連携部を設けた簡単な構造で、薄手のフイルムであっても、確実に除塵ができる。
【図面の簡単な説明】
【００１４】
【図１】図１は、第１の実施の態様の平面図である。
【図２】図２は、第１の実施の態様の側面図である。
【図３】図３は、上流側粘着ローラの正面図である。
【図４】図４は、上流側粘着ローラの部分拡大図である。
【図５】図５は、第２の実施の態様の平面図である。
【図６】図６は、第３の実施の態様の平面図である。
【図７】図７は、第４の実施の態様の平面図である。
【図８】図８は、第５の実施の態様の平面図である。
【図９】図９は、第６の実施の態様の平面図である。
【発明を実施するための形態】
【００１５】
以下に、本発明の実施の態様を図面に基づいて説明する。
【００１６】
図１は、本発明の第１の実施の態様の平面図であり、図２は、図１の断面を示した本発明の実施の態様の側面図である。１は除塵装置である。２、３は、除塵装置１の基本的な構造を支えるフレームである。図２に示す４は、除塵の対象とする印刷媒体たるフイルムである。フイルム４は、フレーム２及びフレーム３の間を、矢印５に示す方向に送られ、移動する。印刷ステーションは、図示をしないが、フイルム４の進行方向の先にある。
【００１７】
６及び９は、粘着ローラである。粘着ローラ６は、フイルム４の移動方向５について粘着ローラ９よりも上流側にある。上流側粘着ローラ６は、複数の溝７を備えている。なお、複数の溝７であって、それぞれの溝を区別するときは、７ａから７ｄまで、個々の記号によって区別する。後述する他の構成要素についても、個々に区別する必要がある場合は、溝７の例によって区別する。８は、上流側粘着ローラ６の粘着部である。粘着部８は、複数の溝７によって分割されている。１０は、下流側粘着ローラ９の溝である。１１は、下流側粘着ローラ９の粘着部である。粘着部１１は、溝１０によって分割されている。
【００１８】
１２は、上流側分離体である。上流側分離体１２は、溝７の中にあって、粘着ローラ６とフイルム４の間に配置されている。上流側分離体１２は、フイルム４が、粘着ローラ６の粘着力により、粘着部８の周囲に巻き付くことを防ぐ。１３は、下流側分離体である。下流側分離体１３は、溝１０の中にあって、フイルム４が、粘着ローラ９の粘着力によって、粘着部１１の周囲に巻き付くことを防ぐ。１４、１５は、フレーム２、３に取り付けられたサポートバーである。上流側分離体１２は、サポートバー１４によって、フレーム２、３に固定されている。下流側分離体１３は、サポートバー１５によって、フレーム２、３に固定されている。
【００１９】
上流側分離体１２及び下流側分離体１３の形状については、丸棒、平板、角棒などの形状でよく、また材料については、樹脂、金属、植物など成形したものでよく、例えばフッ素樹脂で被覆した丸棒の鋼線など、複合材料で構成することができる。分離体１２、１３は、フイルム４の表面と接触することがあるので、フイルム４に傷を与えたり、変質させないような材料を選択することが望ましい。
【００２０】
図２において、１６、１７は、サポートローラである。サポートローラ１６、１７は、粘着ローラ６、９とほぼ同じ長さのローラである。サポートローラ１６、１７は、走行するフイルム４について、粘着ローラ６、９と対向する位置に配置される。サポートローラ１６、１７は、粘着ローラ６、９にフイルム４を押し付けて支持する。
【００２１】
１８は、フイルム案内部である。フイルム案内部１８は、フイルム４が、上流側粘着ローラ６を通過した後、下流側粘着ローラ９に到達する前に、サポートローラ１６、１７の側に脱落しないように支持する。フイルム案内部１８は、板金、樹脂、鋼線などで構成することができる。
【００２２】
以上のような構成で、フイルム４を、上流側粘着ローラ６か下流側粘着ローラ９に向けて走行させる。フイルム４に異物があれば、その異物は粘着ローラ６、９に転写され、フイルム４は除塵される。フイルム４が、粘着ローラ６、９の粘着力によって、粘着ローラ６、９に巻き付こうとしても、フイルム４は、粘着ローラ６、９を通過した後に、分離体１２、１３によって、粘着ローラ６、９から引き離される。従って、フイルム４が、粘着ローラ６、９に巻き付くことはない。
【００２３】
図１に示すように、フイルム４からみて、溝７ｂと溝１０ｂは、重ならないようになっている。すなわち、距離１９に示すように、上流側粘着ローラ６の溝７及び下流側粘着ローラ９の溝１０は、上流側及び下流側粘着ローラ６、９を通過したフイルム４の面において溝の部分が重ならないように相互にずれている。その結果、粘着ローラ６、９を通過したフイルム４は、必ずいずれかの粘着ローラ６、９の粘着部分と接触する。従って、フイルム４において、除塵されない部分は生じないようになっている。
２０は、上流側分離体１２と下流側分離体１３の間で、フイルム４が引っかからないで連携するようにした連携部である。
【００２４】
図３は、分離体１２の動作説明図である。図３は、図１に示した上流側粘着ローラ６について、フイルム４の下流側から見た正面図である。フイルム４は、粘着ローラ６の粘着力によって、粘着部８に巻き付く傾向がある。特にフイルム４が薄い場合は、その傾向が強い。図３は、フイルム４の巻き付きを模式的に示したもので、粘着部８ｂに着目すれば、粘着部８ｂを通過したフイルム４は、２１に示すように持ち上がる部分が発生し、フイルム４が粘着部８ｂに巻き付こうとする。
【００２５】
そこで、溝７ａ、７ｂに設けた分離体１２ａ、１２ｂが、フイルム４を粘着部８ｂから引き離す。その結果、フイルム４は、分離体１２の部分で波状になる。フイルム４が粘着ローラ６によって持ち上がり、フイルム４に持ち上がった部分２１が発生した場合に、そのまま粘着ローラ９に受け渡すと、フイルム４が下流側粘着ローラ９及びサポートローラ１７の間に入らず、フイルム４に皺が発生したり、折れ目が発生する。これは、上流側粘着ローラ６を通過したフイルム４の持ち上がった部分２１が、下流側粘着ローラ９の上半分に衝突するなど、正常な通過経路を通らないためである。
【００２６】
そこで、図１に示すように、分離体１２ａ及びその下流の分離体１３aを接近させた連携部２０を設けた。連携部２０において、分離体１３ａの粘着ローラ９の上流側は、分離体１２ａと分離体１３ａの接近部分を形成するために必要である。連携部２０の構造は、上流側粘着ローラ６を通過したフイルム４が、上流側分離体１２ａによって上流側粘着ローラ６からはく離されたあと、そのまま下流側分離体１３ａに引き取られる構造であればよい。連携部２０によって、フイルム４が、上流側粘着ローラ６を通過したあと、無理なく下流側粘着ローラ９に至ることにより、フイルム４に皺や折れ目が発生することがない。
【００２７】
図４は、粘着ローラ６の溝７ａ及び分離体１２ａの部分拡大図である。分離体１２の断面形状や材料は限定するものではないが、例えば鋼線の外皮を樹脂で被覆したものが考えられる。特にフイルム４と接触する下半分の部分２２は、フイルム４と接触した場合でもフイルム４に影響を与えないような、例えばフッ素樹脂などで被覆するのが良い。一方、上半分２３の部分は、フイルム４と接触する可能性はないので、粘着物質で被覆することができる。分離体１２ａのフイルム４と接触しない部分の粘着物質は、空中を浮遊してフイルム４に付着するような異物を捕獲する可能性がある。
【００２８】
図５は、第２の実施の態様の平面図である。図５においては、サポートバー１５を、下流側粘着ローラ９の上流側に設けるようにした。このような構造であれば、除塵装置１の外形寸法を小型化することができる。
【００２９】
図６は、第３の実施の態様の平面図である。図６においては、連携部２０の部分で、分離体１２及び分離体１３を相互に接近するように折り曲げる構造にした。その結果、溝７及び溝１０のずれの距離１９を大きくすることができる。従って、溝７、１０が接近している場合に比べて、溝７及び溝１０がフイルム４に与えるストレスを分散させることができる。
【００３０】
図７は、第４の実施の態様の平面図である。図７において、上流側分離体２４及び下流側分離体２５は、連携部２６でお互いに２本に分かれて接近している。この結果、溝７及び溝１０のずれ１９を最大にすることが可能となる。従って、溝７及溝１０がフイルム４に与えるストレスを最大限分散させることができる。
【００３１】
図８は、第５の実施の態様の平面図である。図８の例においては、上流側分離体２７及び下流側分離体２８を、連携部２９において一本に接続するようにした。その結果、フイルム４は、自然に上流側粘着ローラ６から下流側粘着ローラ９に引き渡される。
【００３２】
図９は、第６の実施の態様の平面図である。図９においては、粘着ローラは、３０、３１、３２の３本である。この場合は、粘着ローラ３０、３１については、上流側粘着ローラは３０であり、下流側粘着ローラは３１である。そして、上流側分離体は、３５であり、下流側分離体は、３６である。そして、連携部は３３となる。一方、粘着ローラ３１、３２の組み合わせでは、上流側粘着ローラが３１であり、下流側粘着ローラが３２である。また、上流側分離体は３６であり、下流側分離体は、３７であり、かつ連携部は３４である。粘着ローラを使用した除塵装置の欠点のひとつは、フイルム４の表面で、異物が重なっていたり、層構造をもった異物である場合は、完全に異物を除去できないところにある。しかし、図９に示すように粘着ローラを３本以上にすることにより、フイルム４の上で、異物が重なっていた場合でも、異物を除去できる可能性が高くなる。
【符号の説明】
【００３３】
１  除塵装置
２、３  フレーム
４  フイルム
６  上流側粘着ローラ
７  溝
８  粘着部
９  下流側粘着ローラ
１２  上流側分離体
１３  下流側分離体
２０  連携部。
【図１】
2013166104.tif 000003
【図２】
2013166104.tif 000004
【図３】
2013166104.tif 000005
【図４】
2013166104.tif 000006
【図５】
2013166104.tif 000007
【図６】
2013166104.tif 000008
【図７】
2013166104.tif 000009
【図８】
2013166104.tif 000010
【図９】
2013166104.tif 000011